(57)【要約】【課題】本発明は、あらゆる用途にトランク室を利用することができ、利便性を向上させることができるエレベータ装置を得ることを目的とするものである。【解決手段】かご室は、かご室本体１と、かご室本体１の背部に設けられ、かご室本体１内に連通したトランク室２ａを形成するトランクケース２と、トランクケース２をかご室本体１に対して上下動させるためのトランク昇降手段３とを有している。かご室本体１内には、モータ１２を駆動させてトランクケース２を昇降させるためのトランク昇降ボタン部２３が設けられている。【選択図】図１
2009126606.tif 000002
【特許請求の範囲】
【請求項１】
かご室本体と、上記かご室本体の背部に設けられ、上記かご室本体内に連通したトランク室を形成するトランクケースと、上記トランクケースを上記かご室本体に対して上下動させるためのトランク昇降手段とを有するかご室
を備えていることを特徴とするエレベータ装置。
【請求項２】
上記トランク昇降手段は、
上記かご室本体に設けられた滑車と、
トランク用釣合おもりと、
上記滑車に巻き掛けられ、上記トランクケースと上記トランク用釣合おもりとを吊り下げるトランク用ワイヤと、
上記かご室本体に設けられ、上記トランク用釣合おもりの上下動を案内するおもりガイド枠と
を有していることを特徴とする請求項１記載のエレベータ装置。
【請求項３】
上記トランクケースは、トランクケース本体と、上記トランクケース本体の上記かご室本体内への連通口を開閉するトランク扉とを有し、
上記トランク昇降手段は、上記トランクケースを上下動させるモータを有し、
上記かご室内には、上記モータを駆動させるためのトランク昇降ボタン部が設けられており、
上記トランク昇降ボタン部の操作は、上記トランク扉が閉じられて施錠されているときには無効となることを特徴とする請求項１又は請求項２に記載のエレベータ装置。
【請求項４】
上記トランクケースは、トランクケース本体と、上記トランクケース本体の上記かご室本体内への連通口を開閉するトランク扉とを有し、
上記トランク昇降手段は、上記トランクケース本体内に設けられたハンドルを有し、
上記ハンドルを手動操作することにより上記トランクケースが上下動されることを特徴とする請求項１又は請求項２に記載のエレベータ装置。
【請求項５】
上記トランクケースは、トランクケース本体と、上記トランクケース本体の上部及び下部に設けられ、上記かご室本体の開口部を塞ぐ上部カバー及び下部カバーとを有していることを特徴とする請求項１から請求項４までのいずれか１項に記載のエレベータ装置。
【請求項６】
上記かご室の上部に設けられている上部巻取ロール、
上端部が上記上部巻取ロールに巻き付けられ、下端部が上記トランクケースに接続されている上部シャッタ、
上記かご室の下部に設けられている下部巻取ロール、及び
上記下端部が上記下部巻取ロールに巻き付けられ、上端部が上記トランクケースに接続されている下部シャッタ
を備え、
上記トランクケースが上昇されると、上記下部巻取ロールから上記下部シャッタが引き出されるとともに、上記上部巻取ロールに上記上部シャッタが巻き取られ、上記トランクケースが下降されると、上記上部巻取ロールから上記上部シャッタが引き出されるとともに、上記下部巻取ロールに上記下部シャッタが巻き取られることを特徴とする請求項１から請求項４までのいずれか１項に記載のエレベータ装置。
【発明の詳細な説明】
【技術分野】
【０００１】
この発明は、例えば救護用ストレッチャ等を乗せる際に使用されるトランク室がかご室に設けられているエレベータ装置に関するものである。
【背景技術】
【０００２】
従来のエレベータのかごでは、床面から所定の高さに位置する救護用ストレッチャの寝台の端部をそのまま挿入できるように、かご出入口に対向するかご室壁の中央部にトランク室が設けられている（例えば、特許文献１参照）。
【０００３】
【特許文献１】実開平６−７８３７４号公報
【発明の開示】
【発明が解決しようとする課題】
【０００４】
上記のような従来のエレベータのかごでは、かご室壁の中央部にトランク室が設けられているため、救護用ストレッチャはそのまま乗せることができるが、長尺の家具等を乗せる場合にはトランク室を利用し難かった。これに対して、かご室壁の最下部にトランク室が設けられている場合、高さ調整機能の無いストレッチャを乗せることができず不便であった。
【０００５】
この発明は、上記のような課題を解決するためになされたものであり、あらゆる用途にトランク室を利用することができ、利便性を向上させることができるエレベータ装置を得ることを目的とする。
【課題を解決するための手段】
【０００６】
この発明に係るエレベータ装置は、かご室本体と、かご室本体の背部に設けられ、かご室本体内に連通したトランク室を形成するトランクケースと、トランクケースをかご室本体に対して上下動させるためのトランク昇降手段とを有するかご室を備えている。
【発明の効果】
【０００７】
この発明のエレベータ装置は、かご室本体に対してトランクケースを上下動させるためのトランク昇降手段をかご室に設けたので、用途に応じてトランクケースの高さを変更することができ、従って、あらゆる用途にトランク室を利用することができ、利便性を向上させることができる。
【発明を実施するための最良の形態】
【０００８】
以下、この発明を実施するための最良の形態について、図面を参照して説明する。
実施の形態１．
図１はこの発明の実施の形態１によるエレベータ装置のかご室の要部を示す斜視図、図２は図１のかご室の要部を示す正面図、図３は図２のＩＩＩ−ＩＩＩ線に沿う断面図、図４は図１のＩＶ部を拡大して示す斜視図、図５は図１のＶ部を拡大して示す斜視図、図６は図１のＶＩ部を拡大して示す斜視図である。
【０００９】
図において、かご室は、かご室本体１と、かご室本体１の背部に設けられ、かご室本体１内に連通したトランク室２ａを形成するトランクケース２と、トランクケース２をかご室本体１に対して上下動させるためのトランク昇降手段３とを有している。即ち、トランクケース２は、トランク昇降手段３によりかご室本体１に対して上下動可能である。
【００１０】
かご室本体１は、かご床４上に支持されている。かご室本体１のかご出入口に対向するかご室壁である後壁１ａには、開口部１ｂが設けられている。この例では、開口部１ｂは、後壁１ａの上下方向のほぼ中間部から下の部分全体に設けられている。言い換えれば、後壁１ａは、かご室本体１の上下方向のほぼ中間部から上のみに設けられている。
【００１１】
トランクケース２は、トランクケース本体５と、トランクケース本体５のかご室本体１内への連通口を開閉する一対のトランク扉６ａ，６ｂと、トランクケース本体５の上部に固定された平板状の上部カバー７と、トランクケース本体５の下部に固定された平板状の下部カバー８とを有している。
【００１２】
トランク扉６ａ，６ｂは、トランクケース本体５の幅方向両端部に鉛直な軸を中心として回動可能に取り付けられている。上部カバー７及び下部カバー８は、開口部１ｂを塞ぐように、トランクケース本体５のかご室本体１側端部に後壁１ａと平行に設けられている。
【００１３】
以下、トランク昇降手段３の構成について説明する。かご室本体１の上部には、駆動滑車２５と、第１ないし第３の滑車９〜１１と、モータ１２とが設けられている。駆動滑車２５と第１及び第２の滑車９，１０とは、かご室本体１の幅方向の一側で同軸に設けられ一体に回転される。第３の滑車１１は、かご室本体１の幅方向の他側に設けられている。モータ１２の回転は、駆動ベルト１３を介して減速されて駆動滑車２５に伝達される。
【００１４】
駆動滑車２５、第１ないし第３の滑車９〜１１、及びモータ１２は、それぞれの回転軸がかご室の前後方向に平行になるように配置されている。
【００１５】
後壁１ａの背面には、トランクケース２の昇降を案内する一対のトランクケースガイド枠１４ａ，１４ｂが固定されている。トランクケースガイド枠１４ａ，１４ｂは、かご室本体１の幅方向に互いに間隔をおいて上下方向に平行に配置されている。トランクケース本体５の上部には、トランクケースガイド枠１４ａ，１４ｂに係合する一対のガイド体１５ａ，１５ｂが固定されている。ガイド体１５ａ，１５ｂの下端部とトランクケース本体５の上面との間には、断面Ｌ字形の補強金具１６ａ，１６ｂが固定されている。
【００１６】
第１の滑車９には、第１のトランク用ワイヤ１７が巻き掛けられている。第１のトランク用ワイヤ１７の一端部は、ねじ棒１９（図５）を介してガイド体１５ａの上端部に締結されている。第２のトランク用ワイヤ１８は、第２及び第３の滑車１０，１１に巻き掛けられている。そして、第２のトランク用ワイヤ１８の一端部は、ねじ棒１９を介してガイド体１５ｂの上端部に締結されている。
【００１７】
第１及び第２のトランク用ワイヤ１７，１８の他端部には、ねじ棒１９（図４）を介してトランク用釣合おもり２１が接続されている。トランクケース２及びトランク用釣合おもり２１は、第１及び第２のトランク用ワイヤ１７，１８により吊り下げられ、互いに逆方向へ昇降される。各ねじ棒１９には、調整ナット２０（図４及び図５）が螺着されている。かご室本体１の幅方向一端部には、トランク用釣合おもり２１の上下動を案内するおもりガイド枠２２が固定されている。
【００１８】
かご室本体１内には、モータ１２を駆動させてトランクケース２を昇降させるためのトランク昇降ボタン部２３が設けられている。トランク昇降ボタン部２３の操作は、トランク扉６ａ，６ｂの錠を解錠することにより有効となる。逆に、トランク扉６ａ，６ｂが閉じられ施錠されているときには、トランク昇降ボタン部２３の操作は無効となる。
【００１９】
図３に示すように、トランクケース２の前端部の幅方向両端部には、ガイド刃２６が上下方向に沿って設けられている。かご室本体１の幅方向両端部には、ガイド刃２６が係合するガイド金具２７が取り付けられている。ガイド金具２７には、ガイド刃２６が挿入されたガイド溝が設けられている。
【００２０】
次に、動作について説明する。トランク室２ａを利用する場合、施錠を解除してトランク扉６ａ，６ｂを開放する。この状態で、トランク昇降ボタン部２３を操作し、使用目的に応じてトランクケース２を上下動させる。
【００２１】
図７は図１のかご室にストレッチャを乗せる様子を示す側面図、図８は図７のトランクケース２を上動させた様子を示す側面図である。図７の状態では、寝台の高さを変えずにストレッチャ２４をそのままかご室に乗せることはできないが、図８に示すようにトランクケース２の高さを調節することにより、ストレッチャ２４をそのままかご室に乗せることが可能となる。このため、例えば病人を運ぶ場合には、病人を家族や介護の人から手の届く位置に保つことができ、安心である。
【００２２】
また、図７に示すようにトランクケース２の高さをかご床４の高さまで下げることにより、長尺の家具等をかご室に乗せるのが容易になる。
従って、あらゆる用途にトランク室２ａを利用することができ、利便性を向上させることができる。
【００２３】
また、トランクケース２とトランク用釣合おもり２１とがトランク用ワイヤ１７，１８により吊り下げられているので、小さな力でトランクケース２を上下動させることができる。
さらに、トランク扉６ａ，６ｂが閉じられて施錠されているときにはトランク昇降ボタン部２３の操作が無効となるので、一般の乗客により不必要にトランクケース２が上下動されるのを防止することができる。
さらにまた、トランクケース本体５の上下に上部カバー７及び下部カバー８を設けたので、トランクケース２の位置によらず開口部１ｂを塞ぐことができる。
【００２４】
実施の形態２．
次に、図９はこの発明の実施の形態２によるエレベータ装置のかご室の要部を示す斜視図、図１０は図９のかご室の要部を示す側面図である。図において、かご室本体１の背部には、支持桁（角パイプ枠）３１が固定されている。支持桁３１には、駆動滑車２５と、第１ないし第３の滑車９〜１１と、モータ１２とが支持されている。駆動滑車２５と第１の滑車９とは、かご室本体１の幅方向の一側で同軸に設けられ一体に回転される。第２の滑車１０は、かご室本体１の幅方向の一側で第１の滑車９に対して間隔をおいて設けられている。第３の滑車１１は、かご室本体１の幅方向の他側に設けられている。
【００２５】
モータ１２の回転は、駆動ベルト１３を介して減速されて駆動滑車２５に伝達される。駆動滑車２５、第１ないし第３の滑車９〜１１、及びモータ１２は、それぞれの回転軸がかご室の前後方向に平行になるように配置されている。
【００２６】
第１の滑車９には、第１のトランク用ワイヤ１７が巻き掛けられている。第１のトランク用ワイヤ１７の一端部は、トランクケース本体５の上部に接続されている。第１のトランク用ワイヤ１７の他端部は、トランク用釣合おもり２１の上部に接続されている。
【００２７】
第２の滑車１０及び第３の滑車１１には、第２のトランク用ワイヤ１８が巻き掛けられている。第２のトランク用ワイヤ１８の一端部は、トランクケース本体５の上部に接続されている。第２のトランク用ワイヤ１８の他端部は、トランク用釣合おもり２１の上部に接続されている。
【００２８】
トランクケース２及びトランク用釣合おもり２１は、第１及び第２のトランク用ワイヤ１７，１８により吊り下げられている。この例では、釣合おもり２１は、かご室本体１の後ろでトランクケース２の上方に配置されている。このため、おもりガイド枠２２は、かご室本体１の背部に固定されている。
【００２９】
支持桁３１には、上部巻取ロール３２が支持されている。上部巻取ロール３２は、その軸線がかご室本体１の幅方向に平行となるように配置されている。また、上部巻取ロール３２の両端部と支持桁３１との間には、それぞれ上部軸受け金具３３が設けられている。上部巻取ロール３２は、上部軸受け金具３３を介して回転可能に支持桁３１に支持されている。
【００３０】
かご床４には、下部巻取ロール３４が支持されている。下部巻取ロール３４は、その軸線がかご室本体１の幅方向に平行となるように配置されている。また、下部巻取ロール３４の両端部とかご床４との間には、それぞれ下部軸受け金具３５が設けられている。下部巻取ロール３４は、下部軸受け金具３５を介して回転可能にかご床４に支持されている。
【００３１】
上部巻取ロール３２には、上部シャッタ３６の上端部が巻き付けられている。上部シャッタ３６の下端部は、トランクケース本体５の開口の上縁部に接続されている。下部巻取ロール３４には、下部シャッタ３７の下端部が巻き付けられている。下部シャッタ３７の上端部は、トランクケース本体５の開口の下縁部に接続されている。
【００３２】
図１１は図９のＸＩ部を拡大して示す斜視図である。トランクケース本体５の上面には、平板状の取付金具３８が複数本（ここでは４本）のボルト３９により固定されている。各ボルト３９は、取付金具３８の孔を貫通してトランクケース本体５のねじ穴に螺着されている。取付金具３８には、第１のトランク用ワイヤ１７がねじ棒１９を介して接続されている。ねじ棒１９には、調整ナット２０が螺着されている。第２のトランク用ワイヤ１８のトランクケース本体５への接続構造も図１１と同様である。
【００３３】
図１２は図９のＸＩＩ部を拡大して示す斜視図である。トランクケース２の前端部の幅方向両端部には、ガイド刃２６が上下方向に沿って設けられている。かご室本体１の幅方向両端部には、ガイド刃２６が係合するガイド金具２７が取り付けられている。ガイド金具２７には、ガイド刃２６が挿入されたガイド溝が設けられている。シャッタ３６，３７の幅方向両端部もガイド金具２７により案内される。
【００３４】
次に、動作ついて説明する。トランク室２ａを利用する場合、施錠を解除してトランク扉６ａ，６ｂを開放する。この状態で、トランク昇降ボタン部２３を操作し、使用目的に応じてトランクケース２を上下動させる。トランクケース本体５が上昇されると、下部巻取ロール３４から下部シャッタ３７が引き出されるとともに、上部巻取ロール３２に上部シャッタ３６が巻き取られる。逆に、トランクケース本体５が下降されると、上部巻取ロール３２から上部シャッタ３６が引き出されるとともに、下部巻取ロール３４に下部シャッタ３７が巻き取られる。従って、かご室本体１の背面が開放されることはない。
【００３５】
このような構成によっても、トランクケース２の位置を上下方向に変化させることで、あらゆる用途にトランク室２ａを利用することができ、利便性を向上させることができる。
【００３６】
実施の形態３．
次に、図１３はこの発明の実施の形態３によるエレベータ装置のかご室の要部を示す斜視図である。支持桁３１には、第１ないし第４の滑車９〜１１，４５が支持されている。第１の滑車９は、かご室本体１の幅方向の一側に設けられている。第２の滑車１０は、かご室本体１の幅方向の一側で第１の滑車９に対して間隔をおいて設けられている。第３の滑車１１は、かご室本体１の幅方向の他側に設けられている。第４の滑車４５は、第３の滑車１１と同軸に設けられている。
【００３７】
第１ないし第４の滑車９〜１１，４５は、それぞれの回転軸がかご室の前後方向に平行になるように配置されている。
【００３８】
第１の滑車９には、第１のトランク用ワイヤ１７が巻き掛けられている。第１のトランク用ワイヤ１７の一端部は、取付金具３８を介してトランクケース本体５の上部に接続されている。第１のトランク用ワイヤ１７の他端部は、トランク用釣合おもり２１の上部に接続されている。
【００３９】
第２の滑車１０及び第３の滑車１１には、第２のトランク用ワイヤ１８が巻き掛けられている。第２のトランク用ワイヤ１８の一端部は、取付金具３８を介してトランクケース本体５の上部に接続されている。第２のトランク用ワイヤ１８の他端部は、トランク用釣合おもり２１の上部に接続されている。
【００４０】
トランクケース２及びトランク用釣合おもり２１は、第１及び第２のトランク用ワイヤ１７，１８により吊り下げられている。この例では、釣合おもり２１は、かご室本体１の後ろでトランクケース２の上方に配置されている。このため、おもりガイド枠２２は、かご室本体１の背部に固定されている。
【００４１】
また、この例では、モータ１２を用いず、トランクケース本体５内の側壁に設けられたハンドル４１を手動で回すことによりトランクケース２を上下動させる。ハンドル４１には、ブレーキ付き軸受４２を介してワイヤ巻取プーリ４３が連結されている。
【００４２】
ワイヤ巻取プーリ４３には、トランク昇降ワイヤ４４の基端部が巻き付けられている。トランク昇降ワイヤ４４の中間部は、第４の滑車４５に巻き掛けられている。また、トランク昇降ワイヤ４４の先端部は、取付金具３８を介してトランクケース本体５の上部に接続されている。
【００４３】
このような構成によっても、トランクケース２の位置を上下方向に変化させることで、あらゆる用途にトランク室２ａを利用することができ、利便性を向上させることができる。
また、ハンドル４１は、トランクケース本体５内に設けられており、トランク扉６ａ，６ｂを開かないと操作できないため、一般の乗客により不必要にトランクケース２が上下動されるのを防止することができる。
【図面の簡単な説明】
【００４４】
【図１】この発明の実施の形態１によるエレベータ装置のかご室の要部を示す斜視図である。
【図２】図１のかご室の要部を示す正面図である。
【図３】図２のＩＩＩ−ＩＩＩ線に沿う断面図である。
【図４】図１のＩＶ部を拡大して示す斜視図である。
【図５】図１のＶ部を拡大して示す斜視図である。
【図６】図１のＶＩ部を拡大して示す斜視図である。
【図７】図１のかご室にストレッチャを乗せる様子を示す側面図である。
【図８】図７のトランクケースを上動させた様子を示す側面図である。
【図９】この発明の実施の形態２によるエレベータ装置のかご室の要部を示す斜視図である。
【図１０】図９のかご室の要部を示す側面図である。
【図１１】図９のＸＩ部を拡大して示す斜視図である。
【図１２】図９のＸＩＩ部を拡大して示す斜視図である。
【図１３】この発明の実施の形態３によるエレベータ装置のかご室の要部を示す斜視図である。
【符号の説明】
【００４５】
１  かご室本体、１ｂ  開口部、２  トランクケース、２ａ  トランク室、３  トランク昇降手段、５  トランクケース本体、６ａ，６ｂ  トランク扉、７  上部カバー、８  下部カバー、９  第１の滑車、１０  第２の滑車、１１  第３の滑車、１７  第１のトランク用ワイヤ、１８  第２のトランク用ワイヤ、２１  トランク用釣合おもり、２２  おもりガイド枠、２３  トランク昇降ボタン部、３２  上部巻取ロール、３４  下部巻取ロール、３６  上部シャッタ、３７  下部シャッタ、４１  ハンドル。
【図１】
2009126606.tif 000003
【図２】
2009126606.tif 000004
【図３】
2009126606.tif 000005
【図４】
2009126606.tif 000006
【図５】
2009126606.tif 000007
【図６】
2009126606.tif 000008
【図７】
2009126606.tif 000009
【図８】
2009126606.tif 000010
【図９】
2009126606.tif 000011
【図１０】
2009126606.tif 000012
【図１１】
2009126606.tif 000013
【図１２】
2009126606.tif 000014
【図１３】
2009126606.tif 000015